(57)【要約】      （修正有）【課題】自宅での使用者による毛髪の染色について、満足のいく結果をもたらし得る染毛システムを提供する。【解決手段】染色パケット１４および１６と、顕色剤パケット１８を有するパケット組立体１２を含み、各パケットは選択された量の材料を混合要素３１に送達するためのポンプ２０、２２、２４を有し、使用者の入力に応答して動作可能な制御組立体２６は選択された量のカラー剤および顕色剤を送達するようにそれぞれのポンプを制御し、混合要素はカラー剤と顕色剤を混合しそれをブラシヘッド／分配器３２に送達し、ブラシヘッド／分配器は駆動モータ３７を有するハンドル３４に取り付け可能であって、モータは線形振動するようにブラシヘッド／分配器を駆動する構成とすることで、信頼性の高い予測可能な結果をもたらし、多種多様な染色を行うことができる。【選択図】図１
2020114431.tif 000002
【特許請求の範囲】
【請求項１】
染毛システムであって、
少なくとも１つの染色材料チャンバおよび１つまたは０の顕色剤材料チャンバを有するヘアカラー剤パケット組立体と、
前記染色材料チャンバおよび前記顕色剤材料チャンバのそれぞれのためのポンプと、
選択されたカラー剤を、混合の後に生成するように前記ポンプ部材を制御するように動作可能な制御組立体と、
前記染色材料、または前記染色材料および顕色剤材料を混合するように動作可能な混合組立体と、
連結管によって前記混合組立体に連結されたブラシヘッド／分配器と、
前記ブラシヘッド／分配器を保持するためのハンドルと
を備える、システム。
【請求項２】
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、請求項１に記載のシステム。
【請求項３】
使用者の毛髪の異なる部分を染色する際に使用するための、２つ以上のブラシヘッド構成を含む、請求項１に記載のシステム。
【請求項４】
前記制御組立体が、使用者の入力に応答して前記個々のポンプを制御するためのマイクロプロセッサを含む、請求項１に記載のシステム。
【請求項５】
前記使用者の入力が、カード上に提供される情報の形態であり、前記制御組立体が、前記カード情報を読み取るための光学組立体を含む、請求項４に記載のシステム。
【請求項６】
前記使用者の入力が、磁気ストリップ読み取り機の形態であり、前記制御手段が、前記磁気ストリップ情報を読み取るための読み取り機を含む、請求項４に記載のシステム。
【請求項７】
前記使用者の入力が、ＲＦＩＤタグの形態であり、前記制御システムが、前記ＲＦＩＤ情報を読み取るための読み取り機を含む、請求項４に記載のシステム。
【請求項８】
前記使用者の入力が、無線コマンドの形態である、請求項４に記載のシステム。
【請求項９】
前記ヘアカラー剤パケット組立体が、少なくとも２つの異なるカラー剤チャンバを含む、請求項１に記載のシステム。
【請求項１０】
前記カラー剤パケット組立体が、３つから５つの異なるカラー剤チャンバ、および１つの顕色剤チャンバを含む、請求項１に記載のシステム。
【請求項１１】
前記ポンプが、約１．２５ｍｌ／秒の組成物の流量をもたらすように制御される、請求項１に記載のシステム。
【請求項１２】
前記染色材料の組み合わされた流量が、前記顕色剤材料の流量にほぼ等しい、請求項１に記載のシステム。
【請求項１３】
前記混合組立体および複数の連結管が、異なるカラー剤を前記ブラシヘッドの異なる歯に提供するように構成される、請求項２に記載のシステム。
【請求項１４】
染毛システムとともに使用するための単回使用のヘアカラー剤消耗品組立体であって、
染毛剤組成物のための少なくとも１つのチャンバまたはパケット、および顕色剤のための１つまたは０のチャンバを有するヘアカラー剤パケット組立体と、
それぞれのカラー剤チャンバおよび顕色剤チャンバのための別個のポンプであって、前記ポンプが、制御信号に応答してそれぞれのカラー剤チャンバおよび顕色剤チャンバからの選択された量を混合組立体に向かわせ、前記混合組立体が、使用者によって選択されたカラーを有する組成物を生成する、ポンプと、
流体方向付け要素によって前記混合組立体に連結されたブラシヘッド／分配器であって、前記組成物が通って送達される開口部を含むブラシヘッド／分配器と、
を備える、組立体。
【請求項１５】
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、請求項１４に記載のシステム。
【請求項１６】
前記カラー剤パケット組立体が、３つから５つの異なるカラー剤チャンバ、および１つの顕色剤チャンバを含む、請求項１４に記載のシステム。
【請求項１７】
染毛システムであって、
少なくとも１つの染色チャンバ、および１つまたは０の顕色剤材料チャンバを有するヘアカラー剤パケット組立体と、
前記染色チャンバおよび前記顕色剤材料チャンバのそれぞれのためのポンプと、
選択されたカラー剤を、混合の後に生成するように前記ポンプ部材を制御するように動作可能な制御組立体と、
前記染色材料、または前記染色および顕色剤材料を混合するように動作可能な混合組立体と、
連結管によって前記混合組立体に連結されたブラシヘッド／分配器と、
前記ブラシヘッド／分配器を保持するためのハンドルであって、前記ブラシヘッド／分配器が前記ハンドル内で動くように適応された、ハンドルと、
前記ブラシヘッドを線形振動において前後に動かすための、前記ハンドル内のモータと
を備える、システム。
【請求項１８】
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、請求項１７に記載のシステム。
【請求項１９】
前記線形運動が、連続する歯間の距離の半分の間隔よりも大きく、連続する歯間の距離の１．５倍よりも小さい、請求項１８に記載のシステム。
【請求項２０】
前記制御組立体が、使用者の入力に応答して前記個々のポンプを制御するためのマイクロプロセッサを含む、請求項１７に記載のシステム。
【請求項２１】
前記使用者の入力が、カード上に提供される情報の形態であり、前記制御組立体が、前記カード情報を読み取るための光学組立体を含む、請求項２０に記載のシステム。
【請求項２２】
前記使用者の入力が、磁気ストリップ読み取り機の形態であり、前記制御手段が、前記磁気ストリップ情報を読み取るための読み取り機を含む、請求項２０に記載のシステム。
【請求項２３】
前記使用者の入力が、ＲＦＩＤタグの形態であり、前記制御システムが、前記ＲＦＩＤ情報を読み取るための読み取り機を含む、請求項２０に記載のシステム。
【請求項２４】
前記使用者の入力が、無線コマンドの形態である、請求項２０に記載のシステム。
【請求項２５】
前記カラー剤パケット組立体が、３つから５つの異なるカラー剤チャンバ、および１つの顕色剤チャンバを含む、請求項１８に記載のシステム。
【請求項２６】
前記ポンプが、１０ｃｃ／分から３００ｃｃ／分の範囲の組成物の流量をもたらすように制御される、請求項１８に記載のシステム。
【請求項２７】
前記染色材料の組み合わされた流量が、前記顕色剤材料の流量にほぼ等しい、請求項１８に記載のシステム。
【請求項２８】
前記混合組立体および複数の連結管が、異なるカラー剤を前記ブラシヘッドの異なる歯に提供するように構成される、請求項１８に記載のシステム。
【発明の詳細な説明】
【技術分野】
【０００１】
[001]本発明は、全般的に染毛用具および方法に関し、より詳細には、その用具により提供されることになる特定のヘアカラー剤組成物を使用者が選択および制御することができる染毛用具に関する。
【背景技術】
【０００２】
[002]特に自宅での使用者による毛髪の染色は、満足のいく結果をもたらし得る一方で、面倒であったり、ときには予想外の、または満足のいかない結果に繋がったりすることがある。また、それには時間がかかり、大変な清掃が必要になる。工程は通常、使用者が１つまたは複数の容器を開封し、内容物を混合して広告されたカラー剤組成物を生成することを含む一連の特定のステップを必要とする。次いで、組成物を毛髪領域にすりつけ、それからくしで梳くことを含めて、組成物が使用者によって毛髪に塗布される。生え際が最初に処理され、次いで毛根、それから毛髪の残りの大部分が処理される。その後、道具を清掃し片付けなければならない。この工程全体、特に結果の予測ができないことが、ほとんどの使用者、特に自宅での使用者の全般的な自信の欠如に繋がる。したがって、信頼性の高い予測可能な結果をもたらし、多種多様な染色を行うことができる、自宅で使用しやすい染毛システムが望ましい。
【発明の概要】
【課題を解決するための手段】
【０００３】
[003]したがって、一構成において、染毛システムは、少なくとも１つの染色材料チャンバおよび１つまたは０の顕色剤（developer）材料チャンバを有するヘアカラー剤パケット組立体と、染色材料チャンバおよび顕色剤材料チャンバのそれぞれのためのポンプと、選択されたカラー剤(color)を、混合の後に生成するようにポンプ部材を制御するように動作可能な制御組立体と、カラー剤材料、またはカラー剤材料および顕色剤材料を混合するように動作可能な混合組立体と、連結管によって混合器に連結されたブラシヘッド／分配器と、ブラシヘッド／分配器を保持するためのハンドルとを備える。
【０００４】
[004]別の構成は、染毛システムとともに使用するための単回使用のヘアカラー剤消耗品組立体であって、染毛組成物のための少なくとも１つのチャンバまたはパケット、および顕色剤のための１つまたは０のチャンバを有するヘアカラー剤パケット組立体と、それぞれのカラー剤チャンバおよび顕色剤チャンバのための別個のポンプであって、ポンプが、制御信号に応答してそれぞれのカラー剤チャンバおよび顕色剤チャンバからの選択された量を混合組立体に向かわせ、混合組立体が、使用者によって選択されたカラーを有する組成物を生成する、ポンプと、流体方向付け要素によって混合組立体に連結されたブラシヘッド／分配器であって、組成物が通って送達される開口部を含むブラシヘッド／分配器と、を備える、組立体である。
【０００５】
[005]さらなる構成では、染毛システムは、少なくとも１つの染色チャンバ、および１つまたは０の顕色剤材料チャンバを有するヘアカラー剤パケット組立体と、染色チャンバおよび顕色剤材料チャンバのそれぞれのためのポンプと、選択されたカラー剤を、混合の後に生成するようにポンプ部材を制御するように動作可能な制御組立体と、染色材料、または染色および顕色剤材料を混合するように動作可能な混合組立体と、連結管によって混合組立体に連結されたブラシヘッド／分配器と、ブラシヘッド／分配器を保持するためのハンドルであって、ブラシヘッド／分配器がハンドル内で動くように適応された、ハンドルと、ブラシヘッドを線形振動において前後に動かすための、ハンドル内のモータとを備える。
【図面の簡単な説明】
【０００６】
【図１】[006]染毛システムの様々な部分をブロック形態で示す概略図である。
【図２Ａ】[007]カラー剤パケットを含む染毛システムの一部分を示す代表図である。
【図２Ｂ】[008]図２Ａのポンプ部分をより詳細に示す図である。
【図３】[009]染毛システムのための制御組立体を示すブロック図である。
【図４】[0010]図４Ａは、染毛システムのブラシヘッド部分の正面図である。図４Ｂは、染毛システムのブラシヘッド部分の端面図である。
【図５】[0011]ブラシヘッドのための駆動システムの簡略図である。
【図６】[0012]染毛システムのための組成物混合器を示す図である。
【図７Ａ】[0013]本システムで使用されるブラシヘッド／分配器の正面図である。
【図７Ｂ】[0014]毛を有するブラシヘッド／分配器の動きを示す、その正面図である。
【図８】[0015]ブラシヘッドが取り付けられた染色システムのハンドル部分を示す概略図である。
【図９】[0016]本発明の染毛システムの消耗し得る使い捨て部分の概略図である。
【発明を実施するための形態】
【０００７】
[0017]図１は、本発明の染毛システムの概括図を１０で示す。染毛システムは、複数の、図１では２つの個々のカラー剤パケットを含むパケット組立体１２を含むが、単一の染毛パケットが使用されてもよい。顕色剤パケットも含まれ得る。染毛で顕色剤を使用することによって、永久染色と呼ばれる１カ月程度までより長く続く染色効果が実現されるが、顕色剤を使用しないと、通常は約１週間程度続く半永久的な染色になる。顕色剤は、複数の染色パケットまたは単一の染色パケットとともに使用することができる。染毛パケット１４および１６のそれぞれ、および顕色剤パケット１８は、それら専用の個々のポンプ２０、２２、および２４を有する。個々のポンプは、所望のカラー剤を生成するように各ポンプを制御する制御組立体２６によって制御され、このことは以下でより詳細に説明される。染色パケットポンプの出力部は、カラー剤共通チューブまたは管２８に付けられ、顕色剤は、顕色剤管２９に付けられる。２つの管２８および２９は、合流して混合器管３０になり、混合器管３０は混合要素３１を含んでいる。混合器管３０は、ハンドルまたは棒状部３４に取り付けられたブラシヘッド／分配器３２に連結される。
【０００８】
[0018]用具の動作は、ブラシヘッドを介してヘアカラー剤組成物を分与するためのポンプの動作を開始するオン／オフスイッチ３６によって制御される。ハンドル３４は駆動モータ３７も含み、駆動モータ３７は、カラー剤組成物を毛髪に塗布するのを補助するためのブラシヘッドの制御された動きを実現する。この作用は、オン／オフポンプスイッチ３６とは別個であり得るスイッチ３８によって制御されるが、両方の機能は単一のスイッチによって制御されてもよい。ブラシヘッドの動きは、カラー剤組成物のポンプ作用と同期してもよい。
【０００９】
[0019]図２Ａおよび図２Ｂは、ヘアカラー剤パケット組立体をより詳細に示す。システムのこの部分は、混合要素５８を中に有する長い連結チューブ５６、およびブラシヘッドとともに、本システムの消耗し得る部分を構成する。この部分は完全に閉じられた構成であり、したがってセットアップまたは清掃の必要がない。典型的には、１回の染毛ごとに、消耗し得る部分をその回のためだけに用いて、消耗し得る部分は使用後に廃棄される。
【００１０】
[0020]図２Ａは、３つの分離した個々のカラー剤パケットまたはチャンバ４２、４４、４６を有する特定のパケット組立体４０の構成を代表形態で示す。顕色剤パケット４８も組立体に含まれる。カラー剤チャンバおよびそれらの関連するポンプならびに混合管を入れておくための様々な構造的な構成、すなわち用具の収容形態が可能である。各カラー剤パケットもしくはチャンバ、または顕色剤パケットもしくはチャンバは、それ専用の別個の関連するポンプ４８〜５１を有する。パケット組立体は、用具本体に配置可能でありそれから取り外し可能である。連結管６３は、パケット組立体をブラシヘッド（図示せず）に連結する。一実施形態において、カラー剤パケットは、可撓性のプラスチックから作られ、容量約６０ｃｃを有する。顕色剤パケットは容量約６０ｃｃを有する。図２Ｂに示されるように、ポンプは従来型である。ヘアカラー剤または顕色剤は、入口点５３においてポンプに入り、出口点管５５において出る。関係するカラー剤を生成するためのポンプ作用に関する詳細は、以下で説明される。一実施形態では、３つのパケット内のカラー剤は、ブロンド色、赤色、および焦げ茶色を含む。典型的には、多数の異なる色を提供するためにこれは充分である。カラー剤組成物は、様々な毛髪染料製造業者によって提供され得る。一例としてはＬ’Ｏｒｅａｌ  ＳＡからのカラー剤染料がある。各ポンプの出口管は、カラー剤パケット連結管５２に向けられ、顕色剤ポンプは顕色剤管５４に向かって出る。管５２および５４は、合流して混合器管５６に向かい、混合器管５６内には従来型の混合要素５８が配置されている（図６）。カラー剤が混合管５６に入ると、混合器５８がそれらを組み合わせて最終的な所望のカラー剤を生成し、その所望のカラー剤は、連結管６３を通ってブラシヘッドに提供され、このことは以下でより詳細に記述される。混合器要素は従来型であり、示されるように構成される非可動式の単一の部材を備え、それにより流体は必然的に蛇行経路をたどり完全に混合される。
【００１１】
[0021]個々のポンプ４８〜５１は、制御組立体とも呼ばれるマイクロプロセッサおよびモータ構成によって別個に制御されて、３つのカラー剤パケットおよび顕色剤パケットから最終的な所望のカラー剤を生成する。この構成は、図３において５９でより詳細に示される。制御マイクロプロセッサは、６４で示される。マイクロプロセッサ６４はモータ駆動回路６６を制御し、モータ駆動回路６６は、一連のモータ６８〜７１を制御する（ポンプごとに１つのモータがある）。制御組立体５９は、概して７４で示される歯車ボックスおよびシャフト結合を介して、パケット組立体７５およびそこにある個々のポンプに連結可能であり、パケットポンプ用の駆動シャフトは７４Ａで示される。パケット出口７５Ａは、出力連結管７６がブラシヘッド／分配器に向けて突出している状態で示されている。
【００１２】
[0022]図３において７８で示されるマイクロプロセッサは、所望のカラー剤を生成するように使用者によって様々なやり方で制御され得る。１つのやり方は、インターフェース８０において光学的に読み取られる色カードを用いるものである。この情報は、次いでマイクロプロセッサに送信される。したがって色カードは、本質的にはマイクロプロセッサをプログラムするために使用され、マイクロプロセッサは、関連するポンプを駆動するモータを制御して、カード上の選択されたカラーを生成する。制御情報は、マイクロプロセッサ内のテーブルなどに記憶される。
【００１３】
[0023]動作中、図２Ａの連結管６３の好ましい流量は、２分で１５０ｍｌ、すなわち１秒当たり１．２５ｍｌである。好ましくは、図２のカラー剤パケット４２、４４、および４６からの組み合わされた流量は、顕色剤パケット４８からの流量、すなわち１秒当たり０．６２５ｍｌとほぼ等しい。示される実施形態の個々のポンプのためのモータのそれぞれは、最大ＲＰＭ２００の歯車モータである。歯車と容量の比率が０．２５であれば、以下で説明される歯車直径「ｄ」を解決することができる。各ポンプは別々に最大で０．７５ｍｌ／秒をもたらすことになる。
【００１４】
[0024]所望の流量をもたらすための一実施形態に関する図２Ｂを参照すると、直径ｄの歯車、および未充填歯車空洞５７の比率Ｒｖの場合、１回転で２π（ｄ／２）２・Ｒｖｔｃｍ３／ｃｍの容量がもたらされ、ここでｔは、歯車の厚さである。この容量にＲＰＭを乗算して歯車の流量が得られる。歯車の厚さ３ｍｍ、および歯車空洞比率０．２５の場合、２π（ｄ／２）２・Ｒｖ・ｔ・ＲＰＭ＝０．７５ｃｃ／分であり、ｄ（歯車直径）が０．１８ｃｍに等しい、または直径約２ｍｍであることを解決して、所望の流量をもたらす。しかし、他のポンプ構成を使用して他の流量または同じ流量をもたらしてもよいことを理解すべきである。
【００１５】
[0025]示される実施形態の各ポンプは、別個の異なる２０のポンプ流量の段階を有する。３つのカラー剤パケットを用いて、３つのカラー剤と顕色剤を様々に組み合わせることによって、合計で２１０通りの異なるカラー剤の組み合わせが可能になる。
【００１６】
[0026]カード上のバーコードおよび関連する読み取り機、またはＲＦＩＤタグおよび関連する読み取り機、または無線コマンドによるものを含む他の制御／インターフェースの組み合わせを使用することができる。また、色と、ポンプ作用すなわち流量を制御することとの両方に関して、音声コマンドを使用してマイクロプロセッサをプログラムすることが可能である。上記で検討されたように、個々のポンプを制御して所望の流量、および特定のカラー剤配合物を生成することができる。
【００１７】
[0027]示される実施形態の装置は、用具がシャワー中にでも安全に使用され得るように、密封された閉じられた経路構造を有するバッテリにより電力供給される。閉じられた経路の１つの利点は、使用者を、毛髪以外の箇所が染色流体に晒されることから保護することである。図９に示されるシステムの使い捨て組立体の部分は、パケット組立体および関連するポンプ／モータ構成６１、混合部分６３、および分与ブラシヘッド／分配器６５、ならびに連結管６７を含む。マイクロプロセッサをプログラムするために使用される特定の色カードなどの色通信要素も、単回で消耗し得る物品とすることができる。
【００１８】
[0028]図４、図５、図７および図８は、システム用のブラシヘッド／分与器７９を、単体で示すとともに、関連するハンドルまたは棒状部と組み合わせた状態でも示す。
【００１９】
[0029]図７Ａおよび図７Ｂは、１つのブラシヘッド構成を示す。この構成は、混合組立体からの連結管が入口８１において取り付けられる上部８０を含む。上部から２つのクリップ８２および８４が延在し、クリップ８２および８４は、図８に示されるように、ブラシヘッドをハンドル８６に連結する。上部から、一連の中空の歯８８〜８８が下方に延在している。示される実施形態では、歯は長さ約１．７７８ｃｍ（０．７インチ）であり、その遠位端部に、ヘアカラー剤組成物を出すための直径約０．０７６２ｃｍ（０．０３０インチ）の開口部を有する。歯は、一実施形態では約０．６３５ｃｍ（０．２５インチ）の距離だけ離間しており、中間のナイロンの毛束９２〜９２を配置することができるようになっている。毛は、歯の下端を少し過ぎるように延在し、図４Ａに示されるように頭皮９４に接触する。示される実施形態では、毛束は、約１５本の個々の毛要素を有し、束の状態で直径が約０．２５４ｃｍ（０．１インチ）である。上記に示されるように、使用中、毛は頭皮に接触するが、歯は頭皮のわずかに上に配置され、ヘア組成物が漏れ出ることを可能にする。
【００２０】
[0030]ハンドル８６（図８）は、使用者によって握りやすい長い部分９５を有する。カラー剤組成物混合器からの連結管９７は、ハンドルに沿って延在する。ブラシヘッドは、クリップ８２、８４によってハンドル内の場所にスナップ嵌めされる。システムは、所望の流量でヘア組成物のためのポンプ作用を開始するオン／オフスイッチ３６の作用によって上述されたように動作することができる。ポンプ流量は、ポンプ用のモータのＲＰＭを制御するための摺動可能スイッチまたは音声起動によって制御することができる。ハンドルは、ブラシヘッド／分配器の線形振動運動を実現するための、図５に概括的に示されるモータ構成９８も含むことができる。振動は、隣接する歯間の距離の半分よりも大きいがその距離の１．５倍以下である振幅を有する約１５〜６０Ｈｚの範囲の振動数を有する。図５は、クリップ１０２、１０４を介してハンドルの摺動可能トレイ１０６にスナップ嵌めされたブラシヘッド１００のための簡略化された駆動構成を示す。摺動可能トレイは、連結ロッド１１０を用いてモータ１０８によって線形に前後に動かされる。モータはハンドル上のスイッチ３８（図１）によって制御され、別個の電源１１２を有する。ブラシヘッドの線形振動の動きを制御するための他の構成が使用されてもよい。線形運動は、ユーザによる、手袋をした指で組成物を毛根および生え際にすり込む様子をまねており、これらの毛髪領域に対する染毛を高い信頼性で正確に制御できるようになる。
【００２１】
[0031]生え際および毛根の染色機能が完了すると、より幅広い歯の間隔を有する任意選択のより目の粗いブラシヘッドを使用して毛髪の中を滑らせ、流体が選択された流量で継続的に分与されて毛髪をコーティングしてもよい。各歯に流体を分与するように調整がなされてもよく、こうして毛髪の大部分に流体が都合よく提供される。かなり長いなでつけを用いて毛髪に沿って組成物を分与し、それにより、用具の混合部分にプログラムされた色のわずかな変化によって、単一のカラー剤システムよりも、自然な色の変化の見え方を改善することができる。
【００２２】
[0032]高品質な染色結果には、自然な色の変化が重要であることを理解すべきである。本システムでは、カラー剤はリアルタイムで混合されることから、単にマイクロプロセッサをプログラムすることによって、カラー剤配合物を、色の変化をもたらすように経時的にいかなる度合いにも変化させることができる。例えば、毛髪の大部分をブラシでなでつけるたびに、わずかに異なる色合いまたは陰影をもたらすことができる。さらに、複数のチューブが連結している構成を用いて、異なるカラー剤をブラシヘッドの異なる歯に移すことができ、それにより、細い個々の毛髪の束が、隣の束と比較したとき異なるカラー剤を受けることができる。従来であれば、色を変化させるには、細い毛髪の束を染色し、それらをアルミニウムフォイルによって保護して、１つの束から隣の束へのにじみを防ぎ、そのような比較的好ましくない体積比で細い毛髪の束が早く乾いてしまうのを防ぐことが必要である。本システムでは、フォイルの工程を不要にする２つの方法が存在する。１つの方法は、上述したわずかな色の変化を提供して、それにより１つの束から隣の束へのにじみが目立たないようにすることである。この方法または技法を使用した結果は、美容室での処置ほど自然ではないが、単一のカラー剤による手法よりも改善されたものである。別の方法は、別個に供給される歯をブラシに設け、それにより個々の歯が異なるカラー剤組成物を分与できるようにして、毛髪の１つの束から隣の束へ有意な色の移り変わりを可能にすることである。
【００２３】
[0033]したがって、本発明は、使用するのに都合がよく、高性能を有しており、使用者が結果に大きな自信を持つことができるようにする。閉じた流体経路を有しているので、別個の容器に注いだりそれらを振ったりする必要がない。本システムは、シャワー中に使用することができ、それにより清潔さが改善され、さらに構成要素、手袋を手入れすること、およびそれらを清掃する時間が不要になり、従来の染毛システムでは必要な毛根および生え際を手で処理することが不要になる。本システムは、自宅で使用される染毛システムの信頼性と色の可変性の両方を大きく改善することになる。
【００２４】
[0034]好ましい実施形態が例示の目的で開示されたが、以下の特許請求の範囲により定義される本発明の趣旨から逸脱することなく、様々な変更、修正、および置換が、好ましい実施形態に組み込まれてもよいことが、理解されるべきである。
【図１】
2020114431.tif 000003
【図２Ａ】
2020114431.tif 000004
【図２Ｂ】
2020114431.tif 000005
【図３】
2020114431.tif 000006
【図４】
2020114431.tif 000007
【図５】
2020114431.tif 000008
【図６】
2020114431.tif 000009
【図７Ａ】
2020114431.tif 000010
【図７Ｂ】
2020114431.tif 000011
【図８】
2020114431.tif 000012
【図９】
2020114431.tif 000013
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
染毛システムであって、
各々が異なる染色材料を含む少なくとも２つの染色材料チャンバ、および、顕色剤材料を含む１つまたは０の顕色剤材料チャンバを有するヘアカラー剤パケット組立体と、
前記染色材料チャンバおよび前記顕色剤材料チャンバのそれぞれのためのポンプであって、関連する前記染色材料と前記顕色剤材料とを分注するために動作的に接続されたポンプと、
マイクロプロセッサを含む制御組立体であって、制御情報に従って各ポンプが前記染色材料及び前記顕色剤材料の各々を個別に分注するように動作可能に制御して、当該染色材料と当該顕色剤材料とを適切に組み合わせて分注し使用者に選択されたカラー剤を混合の後に生成する、制御組立体と、
前記マイクロプロセッサに制御された前記ポンプによって提供される前記染色材料、または前記染色材料および前記顕色剤材料の組成物を受け取り混合して前記選択されたカラー剤を生成するように動作可能な混合組立体と、
連結管によって前記混合組立体に連結されたブラシヘッド／分配器と、
前記ブラシヘッド／分配器を保持するためのハンドルと、
を備える、システム。
【請求項２】
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、請求項１に記載のシステム。
【請求項３】
使用者の毛髪の異なる部分を染色する際に使用するための、２つ以上のブラシヘッド構成を含む、請求項１に記載のシステム。
【請求項４】
使用者によって選択された前記カラー剤は、カード上に提供される情報の形態の当該使用者の入力であり、前記制御組立体が、前記カード情報を読み取るための光学組立体を含む、請求項１に記載のシステム。
【請求項５】
使用者によって選択された前記カラー剤は、磁気ストリップ読み取り機の形態の当該使用者の入力であり、前記制御組立体が、前記磁気ストリップ情報を読み取るための読み取り機を含む、請求項１に記載のシステム。
【請求項６】
使用者によって選択された前記カラー剤は、ＲＦＩＤタグの形態の当該使用者の入力であり、前記制御組立体が、前記ＲＦＩＤ情報を読み取るための読み取り機を含む、請求項１に記載のシステム。
【請求項７】
使用者によって選択された前記カラー剤は、無線コマンドの形態の当該使用者の入力である、請求項１に記載のシステム。
【請求項８】
前記ヘアカラー剤パケット組立体が、３つから５つの異なる染色材料チャンバ、および１つの顕色剤材料チャンバを含む、請求項１に記載のシステム。
【請求項９】
前記ポンプが、約１．２５ｍｌ／秒の組成物の流量をもたらすように制御される、請求項１に記載のシステム。
【請求項１０】
前記染色材料の組み合わされた流量が、前記顕色剤材料の流量にほぼ等しい、請求項１に記載のシステム。
【請求項１１】
前記混合組立体および複数の連結管が、異なるカラー剤を前記ブラシヘッドの異なる歯に提供するように構成される、請求項２に記載のシステム。
【請求項１２】
染毛システムとともに使用するための単回使用のヘアカラー剤消耗品組立体であって、
染毛剤組成物のための少なくとも２つのチャンバまたはパケット、および顕色剤のための１つまたは０のチャンバを有し、当該チャンバまたはパケットの各々が異なる染色剤組成物を含む、ヘアカラー剤パケット組立体と、
前記チャンバまたはパケットおよび前記顕色剤チャンバのそれぞれのために動作的に接続された別個のポンプであって、制御信号に応答して当該チャンバまたはパケットおよび当該顕色剤チャンバのそれぞれからの選択された量を混合組立体に向かわせ、当該混合組立体が使用者によって選択されたカラー剤を有する組成物を生成する、別個のポンプと、
流体方向付け要素によって前記混合組立体に連結されたブラシヘッド／分配器であって、前記組成物が通って送達される開口部を含むブラシヘッド／分配器と、
を備える、組立体。
【請求項１３】
前記ブラシヘッドが、複数の歯を含み、前記歯のうちの１つまたは複数が、前記染毛剤組成物が通って移動する開口部を含み、前記ブラシヘッドが、連続する歯の中間に配置された毛をさらに含む、請求項１２に記載の組立体。
【請求項１４】
前記ヘアカラー剤パケット組立体が、３つから５つの異なるチャンバまたはパケット、および１つの顕色剤チャンバを含む、請求項１２に記載の組立体。
【請求項１５】
染毛システムであって、
各々が異なる染色材料を含む少なくとも２つの染色材料チャンバ、および、顕色剤材料を含む１つまたは０の顕色剤材料チャンバを有するヘアカラー剤パケット組立体と、
前記染色材料チャンバおよび前記顕色剤材料チャンバのそれぞれのためのポンプであって、関連する前記染色材料と前記顕色剤材料とを分注するために動作的に接続されたポンプと、
マイクロプロセッサを含む制御組立体であって、制御情報に従って各ポンプが前記染色材料及び前記顕色剤材料の各々を個別に分注するように動作可能に制御して、当該染色材料と当該顕色剤材料とを適切に組み合わせて分注し使用者に選択されたカラー剤を混合の後に生成する、制御組立体と、
前記分注された染色材料および顕色剤材料を受け取り混合して前記選択されたカラー剤を生成するように動作可能な混合組立体と、
連結管によって前記混合組立体に連結されたブラシヘッドと、
前記ブラシヘッドから延在するハンドルであって、当該ブラシヘッドが当該ハンドル内で動くように適応された、ハンドルと、
前記ハンドル内に収納され前記ブラシヘッドに動作的に接続されたモータであって、当該ブラシヘッドを線形振動運動において前後に動かす、モータと、
を備える、システム。
【請求項１６】
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、請求項１５に記載のシステム。
【請求項１７】
前記線形運動が、連続する歯間の距離の半分の間隔よりも大きく、連続する歯間の距離の１．５倍よりも小さい、請求項１６に記載のシステム。
【請求項１８】
使用者によって選択される前記カラー剤は、カード上に提供される情報の形態の当該使用者の入力であり、前記制御組立体が、前記カード情報を読み取るための光学組立体を含む、請求項１５に記載のシステム。
【請求項１９】
使用者によって選択される前記カラー剤は、磁気ストリップ読み取り機の形態の当該使用者の入力であり、前記制御組立体が、前記磁気ストリップ情報を読み取るための読み取り機を含む、請求項１５に記載のシステム。
【請求項２０】
使用者によって選択される前記カラー剤は、ＲＦＩＤタグの形態の当該使用者の入力であり、前記制御組立体が、前記ＲＦＩＤ情報を読み取るための読み取り機を含む、請求項１５に記載のシステム。
【請求項２１】
使用者によって選択される前記カラー剤は、無線コマンドの形態の当該使用者の入力である、請求項１５に記載のシステム。
【手続補正２】
【補正対象書類名】明細書
【補正対象項目名】００２４
【補正方法】変更
【補正の内容】
【００２４】
[0034]好ましい実施形態が例示の目的で開示されたが、以下の特許請求の範囲により定義される本発明の趣旨から逸脱することなく、様々な変更、修正、および置換が、好ましい実施形態に組み込まれてもよいことが、理解されるべきである。
〔態様１〕
染毛システムであって、
少なくとも１つの染色材料チャンバおよび１つまたは０の顕色剤材料チャンバを有するヘアカラー剤パケット組立体と、
前記染色材料チャンバおよび前記顕色剤材料チャンバのそれぞれのためのポンプと、
選択されたカラー剤を、混合の後に生成するように前記ポンプ部材を制御するように動作可能な制御組立体と、
前記染色材料、または前記染色材料および顕色剤材料を混合するように動作可能な混合組立体と、
連結管によって前記混合組立体に連結されたブラシヘッド／分配器と、
前記ブラシヘッド／分配器を保持するためのハンドルと
を備える、システム。
〔態様２〕
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、態様１に記載のシステム。
〔態様３〕
使用者の毛髪の異なる部分を染色する際に使用するための、２つ以上のブラシヘッド構成を含む、態様１に記載のシステム。
〔態様４〕
前記制御組立体が、使用者の入力に応答して前記個々のポンプを制御するためのマイクロプロセッサを含む、態様１に記載のシステム。
〔態様５〕
前記使用者の入力が、カード上に提供される情報の形態であり、前記制御組立体が、前記カード情報を読み取るための光学組立体を含む、態様４に記載のシステム。
〔態様６〕
前記使用者の入力が、磁気ストリップ読み取り機の形態であり、前記制御手段が、前記磁気ストリップ情報を読み取るための読み取り機を含む、態様４に記載のシステム。
〔態様７〕
前記使用者の入力が、ＲＦＩＤタグの形態であり、前記制御システムが、前記ＲＦＩＤ情報を読み取るための読み取り機を含む、態様４に記載のシステム。
〔態様８〕
前記使用者の入力が、無線コマンドの形態である、態様４に記載のシステム。
〔態様９〕
前記ヘアカラー剤パケット組立体が、少なくとも２つの異なるカラー剤チャンバを含む、態様１に記載のシステム。
〔態様１０〕
前記カラー剤パケット組立体が、３つから５つの異なるカラー剤チャンバ、および１つの顕色剤チャンバを含む、態様１に記載のシステム。
〔態様１１〕
前記ポンプが、約１．２５ｍｌ／秒の組成物の流量をもたらすように制御される、態様１に記載のシステム。
〔態様１２〕
前記染色材料の組み合わされた流量が、前記顕色剤材料の流量にほぼ等しい、態様１に記載のシステム。
〔態様１３〕
前記混合組立体および複数の連結管が、異なるカラー剤を前記ブラシヘッドの異なる歯に提供するように構成される、態様２に記載のシステム。
〔態様１４〕
染毛システムとともに使用するための単回使用のヘアカラー剤消耗品組立体であって、
染毛剤組成物のための少なくとも１つのチャンバまたはパケット、および顕色剤のための１つまたは０のチャンバを有するヘアカラー剤パケット組立体と、
それぞれのカラー剤チャンバおよび顕色剤チャンバのための別個のポンプであって、前記ポンプが、制御信号に応答してそれぞれのカラー剤チャンバおよび顕色剤チャンバからの選択された量を混合組立体に向かわせ、前記混合組立体が、使用者によって選択されたカラーを有する組成物を生成する、ポンプと、
流体方向付け要素によって前記混合組立体に連結されたブラシヘッド／分配器であって、前記組成物が通って送達される開口部を含むブラシヘッド／分配器と、
を備える、組立体。
〔態様１５〕
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、態様１４に記載のシステム。
〔態様１６〕
前記カラー剤パケット組立体が、３つから５つの異なるカラー剤チャンバ、および１つの顕色剤チャンバを含む、態様１４に記載のシステム。
〔態様１７〕
染毛システムであって、
少なくとも１つの染色チャンバ、および１つまたは０の顕色剤材料チャンバを有するヘアカラー剤パケット組立体と、
前記染色チャンバおよび前記顕色剤材料チャンバのそれぞれのためのポンプと、
選択されたカラー剤を、混合の後に生成するように前記ポンプ部材を制御するように動作可能な制御組立体と、
前記染色材料、または前記染色および顕色剤材料を混合するように動作可能な混合組立体と、
連結管によって前記混合組立体に連結されたブラシヘッド／分配器と、
前記ブラシヘッド／分配器を保持するためのハンドルであって、前記ブラシヘッド／分配器が前記ハンドル内で動くように適応された、ハンドルと、
前記ブラシヘッドを線形振動において前後に動かすための、前記ハンドル内のモータと
を備える、システム。
〔態様１８〕
前記ブラシヘッドが、複数の歯を含み、前記歯のうちの１つまたは複数が、前記染色材料が通って移動する開口部を含み、前記ブラシヘッドが、連続する歯の中間に配置された毛をさらに含む、態様１７に記載のシステム。
〔態様１９〕
前記線形運動が、連続する歯間の距離の半分の間隔よりも大きく、連続する歯間の距離の１．５倍よりも小さい、態様１８に記載のシステム。
〔態様２０〕
前記制御組立体が、使用者の入力に応答して前記個々のポンプを制御するためのマイクロプロセッサを含む、態様１７に記載のシステム。
〔態様２１〕
前記使用者の入力が、カード上に提供される情報の形態であり、前記制御組立体が、前記カード情報を読み取るための光学組立体を含む、態様２０に記載のシステム。
〔態様２２〕
前記使用者の入力が、磁気ストリップ読み取り機の形態であり、前記制御手段が、前記磁気ストリップ情報を読み取るための読み取り機を含む、態様２０に記載のシステム。
〔態様２３〕
前記使用者の入力が、ＲＦＩＤタグの形態であり、前記制御システムが、前記ＲＦＩＤ情報を読み取るための読み取り機を含む、態様２０に記載のシステム。
〔態様２４〕
前記使用者の入力が、無線コマンドの形態である、態様２０に記載のシステム。
〔態様２５〕
前記カラー剤パケット組立体が、３つから５つの異なるカラー剤チャンバ、および１つの顕色剤チャンバを含む、態様１８に記載のシステム。
〔態様２６〕
前記ポンプが、１０ｃｃ／分から３００ｃｃ／分の範囲の組成物の流量をもたらすように制御される、態様１８に記載のシステム。
〔態様２７〕
前記染色材料の組み合わされた流量が、前記顕色剤材料の流量にほぼ等しい、態様１８に記載のシステム。
〔態様２８〕
前記混合組立体および複数の連結管が、異なるカラー剤を前記ブラシヘッドの異なる歯に提供するように構成される、態様１８に記載のシステム。
【外国語明細書】
2020114431000001.pdf